(57)【要約】【課題】車の後部座席に座っている視聴者に合わせて容易に且つすばやく表示画面を切替えることができる表示装置を提供すること。【解決手段】表示装置１００は、映像１検出部１１１、映像２検出部１１２、モード管理部１０４、着座センサ３０１及び着座センサ３０２の出力に基づいて映像を選択する映像選択部１０５と、映像選択部１０５の制御信号に基づいて映像入力端子１０１，１０２から入力される映像１，２を画面合成する２画面合成部１０６と、２画面合成部１０６から出力される映像信号を表示する横長ＬＣＤパネル１２０とを備え、映像１検出部１１１及び映像２検出部１１２による検出結果に基づいて映像入力端子１０１，１０２に入力された映像を、横長ＬＣＤパネル１２０の全面又は左右２画面表示する。例えば、接続ケーブル５１０，５２０を挿抜するだけで、自動的に１画面表示と２画面表示が自動切り替えとなる。【選択図】図２
2007256541.tif 000002
【特許請求の範囲】
【請求項１】
車両の車室内に設置され、映像を表示画面に表示する表示手段と、
複数の映像を入力する映像入力端子と、
前記映像入力端子への映像入力を検出する映像入力検出手段と、
前記映像入力検出手段による検出結果に基づいて前記映像入力端子に入力された映像のうち少なくとも一つを、前記表示画面の全面又はその分割画面に表示する制御手段と
を備えることを特徴とする表示装置。
【請求項２】
前記制御手段は、前記映像入力検出手段により映像入力が検出されると、前記表示手段を起動し、入力映像を前記表示画面の全面又はその分割画面に表示することを特徴とする請求項１記載の表示装置。
【請求項３】
入力映像を前記表示画面の全面又はその分割画面に表示する条件をモードとして設定するモード設定手段を備え、
前記制御手段は、前記モード設定に従って前記映像入力端子に入力された映像を表示することを特徴とする請求項１記載の表示装置。
【請求項４】
視聴者の位置を検出する視聴者検出手段を備え、
前記制御手段は、前記視聴者検出手段により検出された視聴者の位置に基づいて入力映像を前記表示画面の全面又はその分割画面に表示することを特徴とする請求項１記載の表示装置。
【発明の詳細な説明】
【技術分野】
【０００１】
本発明は、複数の映像を表示可能な表示装置に関し、特に、車両の車室内で映像を表示する表示装置に関する。
【背景技術】
【０００２】
近年、デジタル技術、通信技術の進歩に伴い、車載用の電子機器も多種多様なものが開発されている。特に、ナビゲーションシステム、ＤＶＤ（Digital Versatile Disk）プレーヤ及びテレビ受信機のように、ＬＣＤ等の表示器を利用して、ＣＤ−ＲＯＭやＤＶＤ等の記録媒体に記録された映像、テレビジョン放送の画像等を表示できる表示装置が広く普及してきている。
【０００３】
また、最近では車両の高級化や大型化に伴って、２つのディスプレイ装置が接続された車載用装置もある。例えば、一方のディスプレイ装置を運転席と助手席の間に設置し、他方のディスプレイ装置を後部座席の前方に設置することにより、運転者や助手席の搭乗者のみならず、後部座席の搭乗者もディスプレイ装置に表示された各種の情報を見ることができるようになっている。
【０００４】
例えば、特許文献１には、操作機器を認識する機器認識手段と操作機器に対応した画像信号を出力する画像信号出力手段とを備え、任意の操作機器を操作することで、車両の後部座席の搭乗者でも容易に操作することができる車載用の表示装置が記載されている。
【特許文献１】特開２００４−３１７４１２号公報
【発明の開示】
【発明が解決しようとする課題】
【０００５】
しかしながら、このような従来の車載用の表示装置にあっては、１画面表示と２画面表示とを切り替える際、ユーザの操作を必要とし操作性が悪いという問題点があった。
【０００６】
すなわち、車載用の表示装置の大型化と高精細化に伴って、表示装置に２画面以上の表示画面を表示することが可能になっており、一方の表示画面で例えばテレビ画面表示を、他方の表示画面でＤＶＤ映像を再生することができる。この場合、映像入力の切り替えに表示装置のボタンスイッチやリモコンを用いる必要があるが、これらボタンスイッチの操作などには、ユーザが位置の確認に手間取ったり、無理な姿勢を強いられたりすることが多い。狭い後部座席での操作であること、また安全運転上比較的暗くした車内での操作であること、さらには子供・お年寄りなどの視聴が多いことなどを考慮すると、より簡単な操作で画面表示を切り替えることができることが求められている。後部座席に乗った搭乗者が簡単操作で画面表示操作を行えることは、運転者側からみれば注意力の散漫を未然に回避できることにもつながる。
【０００７】
本発明は、かかる点に鑑みてなされたものであり、車の後部座席に座っている視聴者に合わせて容易に且つすばやく表示画面を切り替えることができる表示装置を提供することを目的とする。
【課題を解決するための手段】
【０００８】
本発明の表示装置は、車両の車室内に設置され、映像を表示画面に表示する表示手段と、複数の映像を入力する映像入力端子と、前記映像入力端子への映像入力を検出する映像入力検出手段と、前記映像入力検出手段による検出結果に基づいて前記映像入力端子に入力された映像のうち少なくとも一つを、前記表示画面の全面又はその分割画面に表示する制御手段とを備える構成を採る。
【０００９】
具体的な態様として、前記制御手段は、前記映像入力検出手段により映像入力が検出されると、前記表示手段を起動し、入力映像を前記表示画面の全面又はその分割画面に表示する。
【００１０】
より好ましい具体的な態様として、入力映像を前記表示画面の全面又はその分割画面に表示する条件をモードとして設定するモード設定手段を備え、前記制御手段は、前記モード設定に従って前記映像入力端子に入力された映像を表示する。
【００１１】
より好ましい具体的な態様として、視聴者の位置を検出する視聴者検出手段を備え、前記制御手段は、前記視聴者検出手段により検出された視聴者の位置に基づいて入力映像を前記表示画面の全面又はその分割画面に表示する。
【発明の効果】
【００１２】
本発明によれば、車の後部座席に座っている視聴者が容易に且つすばやく表示画面を切替えることができ、後部座席に座っている視聴者が見易い大画面で自由にＤＶＤやテレビを観たりすることができる。
【発明を実施するための最良の形態】
【００１３】
以下、本発明の実施の形態について図面を参照して詳細に説明する。
【００１４】
図１は、本発明の一実施の形態に係る表示装置の外観構成を示す図であり、車両後部を上方から見た模式図である。本実施の形態は複数の映像を表示可能な表示装置として車両の後部座席用の表示装置に適用した例である。
【００１５】
図１において、１００は車両の車室内に設置された後部座席用の表示装置、２００は表示装置１００の表示画面を視聴する後席乗員Ａ，Ｂが着座する後部座席シート、３０１，３０２は後部座席シート２００内に設置され、後席乗員Ａ，Ｂの着座状態を検出する着座センサである。
【００１６】
表示装置１００は、大型のＬＣＤパネル等から構成され、後方後部座席シート２００に着座した後席乗員Ａ，Ｂが目視できる箇所に設置される。後部座席に座った人も映像を楽しめる設置箇所として、例えば車室内の天井部の中央付近に固定して取付けられる。表示装置１００は、通常の表示装置では使用例がないような超ワイドＬＣＤディスプレイにより構成される。ＬＣＤパネルを大型化すれば、後部座席に座った人にとってはより映像が視聴しやすくなることは言うまでもないが、運転者からみて後方視界を遮るようなことがあってはならずその解決策の一つとして車載用の超ワイドＬＣＤディスプレイを今回新たに開発し採用している。また、ワイドＬＣＤディスプレイでは、２画面以上の画面を並べて表示する場合にも特に適している。表示装置１００には、例えばテレビチューナ、ＶＴＲ再生機，ＤＶＤプレーヤ，カーナビゲーション等の映像再生機器が接続されて、後席乗員Ａ，Ｂが各種映像と音声を楽しむことができる。図１中、表示装置１００は、映像ソース１（以下、映像１という）を入力する例えばＤ端子からなる映像入力端子１０１と、映像ソース２（以下、映像２という）を入力する例えばコンポジット端子からなる映像入力端子１０２と、映像１の１画面表示ボタン１０３ａ，映像２の１画面表示ボタン１０３ｂ，２画面表示ボタン１０３ｃ，自動検出ボタン１０３ｄを有する操作部１０３とを備える。
【００１７】
映像入力端子１０１，１０２は、表示装置１００本体（例えば、筐体下部）に設けられ、映像ソースを入力する映像入力端子である。映像信号が入力可能な映像入力端子であればどのような入力端子でもよく、例えばＤ端子である。ＲＣＡコンポジット端子、ＨＤＭＩ端子、アナログＲＧＢ端子、ＤＶＩ端子、ＵＳＢ端子など映像伝送可能な伝送路で映像信号を入力可能な端子であれば同様に適用可能である。
【００１８】
操作部１０３は、「映像１の１画面表示」「映像２の１画面表示」「２画面表示」「自動検出」を区別することが可能な４つのボタン１０３ａ〜１０３ｄのほか、各種操作ボタンやスイッチを備える。例えば、テレビのチャンネル切り替えやＤＶＤ再生等の操作、音量調整用操作などは操作部１０３上の該当ボタンにより行われる。また、図示は省略するが、後席用に設置された表示装置１００の表示映像に伴う音声は、車室内のスピーカや後席乗員Ａ，Ｂが装着するヘッドホンやイヤホン等に出力される。
【００１９】
表示装置１００の設置態様としては、車内の天井吊り下げのほか、前部座席のヘッドレストや前部座席背面への埋め込み、コンソールボックスあるいはフロア面に据え置くなど、種々の態様がある。いずれにしても、運転者の後方視界を遮らないことが設置の大前提である。後部座席に座った人が、操作部１０３の操作ボタン等で再生映像の種類選択、チャンネル切り替え、画面の角度や位置、音量の調整等の操作を行う。
【００２０】
着座センサ３０１，３０２は、車の後部座席に設けられた接点スイッチ等からなる着座センサであり、乗員が座席に着座した場合に着座検出信号を発生し、着座状態情報として表示装置１００に送信する。着座センサ３０１，３０２は、後部座席シート２００長手方向に複数（本実施の形態では、２つ）配置しておくことにより、各乗員の着座位置を検出する。着座センサ３０１，３０２は、３以上設けてもよいことは言うまでもない。また、接点スイッチ等からなる着座センサに代えて、圧電素子を用いた圧力センサや、重量センサ、車室内の放射温度検知による人体検知センサや、車室内の状態を映像で監視する監視カメラ等を利用したものであってもよい。さらに、着座センサ３０１は、シートベルト装着部に設置したスイッチ（例えば接点スイッチ）でもよく、シートベルト装着の有無を検出することにより、座席左側の乗員（視聴者）Ａの着座の有無を検出する。同様に、着座センサ３０２は、シートベルト装着部に設置したスイッチでもよく、シートベルト装着の有無を検出することにより、座席右側の乗員（視聴者）Ｂの着座の有無を検出する。
【００２１】
図２は、上記表示装置１００の構成を示すブロック図である。
【００２２】
図２において、表示装置１００は、映像１を入力する映像入力端子１０１（映像１入力部）と、映像２を入力する映像入力端子１０２（映像２入力部）と、映像入力端子１０１に入力される映像１の入力信号を検出する映像１検出部１１１と、映像入力端子１０２に入力される映像２の入力信号を検出する映像２検出部１１２と、ボタンスイッチの押下等の操作情報を出力する操作部１０３と、操作部１０３の各ボタンの選択により「映像１」、「映像２」、「２画面」、及び「自動」の４つのモード管理を行うモード管理部１０４と、後部座席左側の乗員の着座を検出する着座センサ３０１と、後部座席右側の乗員の着座を検出する着座センサ３０２と、映像１検出部１１１、映像２検出部１１２、モード管理部１０４、着座センサ３０１及び着座センサ３０２の出力に基づいて映像を選択する映像選択部１０５と、映像選択部１０５の制御信号に基づいて映像入力端子１０１，１０２から入力される映像１，２を画面合成する２画面合成部１０６と、２画面合成部１０６から出力される映像信号を表示する横長ＬＣＤパネル１２０とを備えて構成される。また、図示は省略するが拡声用スピーカを備える。なお、音声を入力するためのマイク、受信信号及びマイクからの入力音声信号をデジタル信号処理する音声信号処理部、音声認識部を備えることにより、音声入力による操作も可能である。
【００２３】
上記モード管理部１０４、映像選択部１０５、及び２画面合成部１０６は、ＣＰＵ等からなる制御部１１０を構成し、制御部１１０は、映像１検出部１１１，映像２検出部１１２による映像入力端子の挿抜の検出を基に、映像選択及び２画面合成の自動２画面化制御を行う。
【００２４】
映像入力端子１０１，１０２は、映像１，２入力部であり、表示装置１００本体に設けられる。映像入力端子１０１，１０２には、後述する図３に示す接続ケーブル５１０，５２０が着脱可能に接続される。本実施の形態では、映像入力端子１０１（映像１入力部）がＤ端子、映像入力端子１０２（映像２入力部）がコンポジット端子である場合を例に採る。映像入力端子１０１，１０２は、映像伝送可能な伝送路からの映像信号が入力され、接続ケーブル５１０，５２０が容易に着脱される映像入力端子であればよく、ＲＣＡコンポジット端子、ＨＤＭＩ端子、アナログＲＧＢ端子、ＤＶＩ端子、ＵＳＢ端子等でも同様に適用できる。また、２以上の映像入力端子（映像入力部）を持つものでもよく、映像入力端子の種別や組み合わせも任意である。
【００２５】
映像１検出部１１１は、映像入力端子１０１に入力される映像１の入力信号を検出し、検出状態を内部に保持するとともに、イベントとして映像選択部１０５へ通知する。映像２検出部１１２は、映像入力端子１０２に入力される映像２の入力信号を検出し、検出状態を内部に保持するとともに、イベントとして映像選択部１０５へ通知する。
【００２６】
操作部１０３は、１画面表示ボタン１０３ａ，１０３ｂ，２画面表示ボタン１０３ｃ，自動検出ボタン１０３ｄ及び各種操作ボタン／スイッチからなり、ボタン／スイッチの押下等の操作情報をモード管理部１０４に出力する。
【００２７】
モード管理部１０４は、操作部１０３の１画面表示ボタン１０３ａ，１０３ｂ，２画面表示ボタン１０３ｃ，自動検出ボタン１０３ｄの選択により、内部状態を切り替え、内部に「映像１」、「映像２」、「２画面」、及び「自動」の４つのモードのいずれかを保持するとともに、イベントとして映像選択部１０５へ通知するモード管理を行う。
【００２８】
着座センサ３０１は、視聴者１検出部であり、後部座席左側の乗員（視聴者）Ａの着座の有無を検出する。また、着座センサ３０２は、視聴者２検出部であり、後部座席右側の乗員（視聴者）Ｂの着座の有無を検出する。
【００２９】
映像選択部１０５は、映像１検出部１１１、映像２検出部１１２、モード管理部１０４、着座センサ３０１（視聴者１検出部）及び着座センサ３０２（視聴者２検出部）の出力に基づいて映像を選択する。
【００３０】
２画面合成部１０６は、映像選択部１０５の制御信号に基づいて映像入力端子１０１，１０２から入力される映像１，２を画面合成する。
【００３１】
横長ＬＣＤパネル１２０は、ドットマトリクス構成のＬＣＤディスプレイで構成される。ＬＣＤディスプレイに代えて、有機ＥＬ表示装置、ＰＤＰ装置、ＣＲＴ表示装置、プロジェクタ式表示装置等を使用可能である。横長ＬＣＤパネル１２０には、後部座席の乗員のための各種画面、例えば表示機能の動作状態を示すアイコン等が表示される。また、リモコン機能モード時やビデオ出力機能モード時には、各種操作情報や音量調整ＧＵＩが表示される。
【００３２】
また、横長ＬＣＤパネル１２０は、タッチ入力可能なタッチパネルを積層したドットマトリクス構成のＬＣＤディスプレイであってもよい。タッチパネルは、横長ＬＣＤパネル１２０の表面上に設けられ、タッチパネルの有効部分は横長ＬＣＤパネル１２０の表示部分全面と同等である。タッチパネルに触れることにより、ユーザは画面切り替えなどの設定が可能になる。
【００３３】
図３は、上記表示装置１００の具体的構成を示す図であり、図３（ａ）は一方の端子に接続ケーブルが未接続の場合、図３（ｂ）は両端子に接続ケーブルが接続された場合を示す。
【００３４】
図３において、映像入力端子１０１（映像１入力部）はＤ端子、映像入力端子１０２（映像２入力部）はコンポジット端子であり、表示装置１００の基板１３０のＩ／Ｏインターフェースに装着される。基板１３０には、映像１検出部１１１，１１２、モード管理部１０４、映像選択部１０５及び２画面合成部１０６を構成する部材、例えばＩ／Ｏインターフェース，マイクロプロセッサ，画像処理ＬＳＩなどの電子部品が実装されている。基板１３０と横長ＬＣＤパネル１２０とは、フレキシブルケーブル１４０などの外部バスを介して接続される。
【００３５】
図３（ａ）は、Ｄ端子である映像入力端子１０１に接続ケーブル５１０が接続されている状態でコンポジット端子である映像入力端子１０２に接続ケーブル５２０が未接続の場合を示し、図３（ｂ）は両映像入力端子１０１，１０２に接続ケーブル５１０，５２０がそれぞれ接続された状態を示している。
【００３６】
以下、上述のように構成された表示装置の動作について説明する。
【００３７】
図４は、自動２画面化処理のプログラムを示すフローチャートであり、制御部１１０を構成するＣＰＵにより実行される。図中、Ｓはフローの各ステップを示す。
【００３８】
まず、ステップＳ１で映像選択部１０５が、映像１検出部１１１、映像１検出部１１２、及びモード管理部１０４から通知されるイベントを待つ。イベントが通知されなければそのまま待機する。ステップＳ２で映像１検出部１１１が映像１を検出したか否かを判別し、映像１検出部１１１が映像１を検出しない場合は、ステップＳ３で映像２検出部１１２が映像２を検出したか否かを判別する。映像２検出部１１２が映像２を検出しない場合は、映像１及び映像２がいずれも検出されない、すなわち映像１及び映像２のソースが入力されていないと判断してステップＳ４で何も表示しないで本フローを終了する。上記ステップＳ３で映像２検出部１１２が映像２を検出した場合は、ステップＳ５で映像２を１画面表示して本フローを終了する。具体的には、ステップＳ４では、映像２検出部１１２から映像２検出のイベントを通知された映像選択部１０５が、２画面合成部１０６に対して映像２の１画面表示を指示し、２画面合成部１０６はこの指示を受けて映像２を１画面表示する制御を行う。２画面合成部１０６は、画像処理ＬＳＩに映像２の１画面表示するための制御信号を出力し画像処理ＬＳＩによって映像２の１画面表示が行われる。
【００３９】
上記、映像１検出部１１１は映像１を検出せず、映像２検出部１１２が映像２を検出してこのイベントを映像選択部１０５に通知する場合の例として、例えば図３（ａ）に示すように、一方の映像入力端子に接続ケーブルが未接続の場合がある。映像１が入力される映像入力端子１０１に接続ケーブル５１０が未接続で、映像２が入力される映像入力端子１０２に接続ケーブル５２０が接続されると、接続された映像（ここでは映像２）が１画面に映像フル表示される。
【００４０】
ここで、映像入力端子１０１，１０２への接続ケーブル５１０，５２０の挿抜について述べる。表示装置１００の基板１３０に接続された映像入力端子１０１又は映像入力端子１０２に、接続ケーブル５１０又は接続ケーブル５２０を挿入すると、映像入力端子に映像信号が入力されたことを映像１検出部１１１又は映像２検出部１１２が検出し、映像選択部１０５に映像信号入力のイベントを通知する。映像選択部１０５は、映像１検出部１１１又は映像２検出部１１２から映像入力端子への映像信号入力の通知を受ける。また、映像入力端子１０１（映像１入力部）又は映像入力端子１０２（映像２入力部）からの映像１又は映像２は、２画面合成部１０６に入力され、２画面合成部１０６は映像選択部１０５からの映像選択指示を受けて「映像１の１画面表示」、「映像２の１画面表示」、「２画面表示」、及び「自動検出」などの画面合成を行ってフレキシブルケーブル１４０を介して横長ＬＣＤパネル１２０とに出力する。一方、映像入力端子１０１又は映像入力端子１０２から接続ケーブル５１０又は接続ケーブル５２０が抜かれると、映像入力端子に映像信号が入力されていない無信号状態であることを映像１検出部１１１又は映像２検出部１１２が検出し、映像選択部１０５に映像信号無のイベントを通知する。映像選択部１０５は、映像１検出部１１１又は映像２検出部１１２から映像入力端子への映像入力の通知を受け、「２画面表示」を「映像１の１画面表示」「映像２の１画面表示」にするなどの画面合成を行ってフレキシブルケーブル１４０を介して横長ＬＣＤパネル１２０とに出力する。
【００４１】
図４のフローに戻って、上記ステップＳ２で映像１検出部１１１が映像１を検出した場合は、ステップＳ６で映像２検出部１１２が映像２を検出しているか否かを判別し、映像２を検出していない場合は、ステップＳ７で映像１を１画面表示して本フローを終了する。上記ステップＳ６で映像２検出部１１２が映像２を検出している場合は、ステップＳ８でモード管理部１０４がモードが「映像１」であるか否か判別する。モード管理部１０４は、「映像１」、「映像２」、「２画面」、及び「自動」の４つのモードのいずれかを保持でき、操作部１０３の映像１の１画面表示ボタン１０３ａ，映像２の１画面表示ボタン１０３ｂ，２画面表示ボタン１０３ｃ又は自動検出ボタン１０３ｄの選択により、内部状態が切り替わる。内部状態の変化は、イベントとして映像選択部１０５に通知される。上記ステップＳ８でモードが「映像１」の場合は、ステップＳ９で映像１を１画面表示して本フローを終了する。この場合、映像入力端子１０１及び映像入力端子１０２のいずれの映像入力端子にも、映像１と映像２が入力されている状態にあるが、ユーザのモード選択によって映像１が１画面表示される。ユーザが映像１を大画面で視聴したい場合などを想定している。
【００４２】
上記ステップＳ８でモードが「映像１」でない場合は、ステップＳ１０でモード管理部１０４がモードが「映像２」であるか否か判別し、モードが「映像２」の場合は、ステップＳ１１で映像２を１画面表示して本フローを終了する。上記ステップＳ１０でモードが「映像２」でない場合は、ステップＳ１２でモード管理部１０４がモードが「２画面」であるか否か判別し、モードが「２画面」の場合は、ステップＳ１３で映像１及び映像２を２画面表示して本フローを終了する。例えば図３（ｂ）に示すように、両映像入力端子１０１，１０２に接続ケーブル５１０，５２０が接続され、モードが「２画面」の場合に２画面表示となる。
【００４３】
上記ステップＳ１２でモードが「２画面」でない場合は、ステップＳ１４でモード管理部１０４がモードが「自動」であるか否か判別し、モードが「自動」でなければ、ステップＳ１５で何も表示せずに本フローを終了する。本実施の形態では、ユーザによってモードが設定されていない場合は、両映像入力端子１０１，１０２に映像入力がある場合であってもユーザが視聴しないと判断して映像表示は行わない。この場合、例えばＯＳＤ（On Screen Display）機能によって映像信号入力がある旨のメッセージを横長ＬＣＤパネル１２０に表示するようにすれば、ＧＵＩ（Graphical User Interface）の使い勝手を向上させることができる。
【００４４】
上記ステップＳ１４でモードが「自動」である場合は、以下のステップで後部座席の乗員（視聴者）の着座の有無によって表示画面を自動的に最適化する処理に移行する。すなわち、ステップＳ１６で着座センサ３０１（視聴者１検出部）により後部座席左側の乗員（視聴者）Ａの着座の有無を検出し、後部座席左側の乗員（視聴者）Ａの着座を検出しないときは、ステップＳ１７で着座センサ３０２（視聴者２検出部）により後部座席右側の乗員（視聴者）Ｂの着座の有無を検出する。後部座席右側の乗員（視聴者）Ｂの着座を検出しなければ、後部座席には乗員がいないと判断してステップＳ１８で何も表示せずに本フローを終了する。ステップＳ１７で後部座席右側の乗員（視聴者）Ｂの着座を検出したときは、ステップＳ１９で映像２を１画面表示して本フローを終了する。これにより、乗員（視聴者）Ｂは、自己が選択した映像２を大画面で視聴することができる。なお、この状態で、ユーザ（いま視聴者Ｂ）がモードを「２画面」に選択することも可能である。この場合には、後部座席右側の乗員（視聴者）Ｂにより近い側の画面に映像２が表示される。また、横長ＬＣＤパネル１２０に２画面表示する場合には、映像２に限らず、乗員（視聴者）により近い側の画面に映像が表示される。
【００４５】
上記ステップＳ１６で後部座席左側の乗員（視聴者）Ａの着座を検出したときは、ステップＳ２０で着座センサ３０２（視聴者２検出部）により後部座席右側の乗員（視聴者）Ｂの着座の有無を検出する。後部座席右側の乗員（視聴者）Ｂの着座を検出しなければ、後部座席左側の乗員（視聴者）Ａのみが後部座席にいると判断してステップＳ２１で映像１を１画面表示して本フローを終了する。これにより、乗員（視聴者）Ａは、自己が選択した映像１を大画面で視聴することができる。ステップＳ２０で後部座席右側の乗員（視聴者）Ｂの着座を検出したときは、後部座席左側と右側にそれぞれ乗員（視聴者）Ａ，Ｂいると判断してステップＳ２２で横長ＬＣＤパネル１２０の左側表示画面に乗員（視聴者）Ａが視聴する映像１を、横長ＬＣＤパネル１２０の右側表示画面に乗員（視聴者）Ｂが視聴する映像２を２画面並べて表示して本フローを終了する。これにより、乗員（視聴者）Ａ，Ｂは、自分が市長したい映像ソースを自分により近い位置の表示画面で視聴することができる。例えば図３（ｂ）に示すように、横長ＬＣＤパネル１２０の左側表示画面に乗員（視聴者）Ａが視聴する映像１（例えばテレビ映像）を、横長ＬＣＤパネル１２０の右側表示画面に乗員（視聴者）Ｂが視聴する映像２（例えばＤＶＤ映像）を２画面表示することができる。このように、乗員（視聴者）Ａ，Ｂのモード選択によっていずれかの映像ソースを横長ＬＣＤパネル１２０に１画面表示できる。また、２画面表示されている状態で、一方の映像入力端子を抜くと抜かれなかった映像入力端子の入力映像が１画面表示に自動的に切り替わる。
【００４６】
以上のように、本実施の形態によれば、表示装置１００は、映像１検出部１１１、映像２検出部１１２、モード管理部１０４、及び着座センサ３０１，３０２の出力に基づいて映像を選択する映像選択部１０５と、映像選択部１０５の制御信号に基づいて映像入力端子１０１，１０２から入力される映像１，２を画面合成する２画面合成部１０６と、２画面合成部１０６から出力される映像信号を表示する横長ＬＣＤパネル１２０とを備え、映像１検出部１１１及び映像２検出部１１２による検出結果に基づいて映像入力端子１０１，１０２に入力された映像を、横長ＬＣＤパネル１２０の全面又は左右２画面表示するので、乗員（視聴者）Ａ，Ｂは、Ｄ端子等の映像入力端子１０１，１０２に対応する接続ケーブル５１０，５２０を挿抜するだけで、自動的に１画面表示と２画面表示が自動切り替えとなり、車の後部座席に座っている視聴者が切替スイッチを押す等の操作を行うことなく、容易に且つすばやく表示画面を切り替えることができる。
【００４７】
特に、本実施の形態では、操作部１０３により視聴者がモード可能に構成しているので、視聴者の要望に合わせて最適な入力映像を表示することができる。また、着座センサ３０１，３０２により後部座席に着座した視聴者の位置を検出しているので、視聴者の位置に合わせて最適な入力映像を２画面表示の一方に表示したり、１画面ワイド表示したりすることができる。いずれも視聴者にとって視聴しやすく使い易い表示装置が実現できる。
【００４８】
以上の説明は本発明の好適な実施の形態の例証であり、本発明の範囲はこれに限定されることはない。例えば、例えば、表示装置として実施の形態では車両の後部座席から視聴する表示装置に適用した例について説明しているが、同様の他の車両に搭載するものでもよい。また、図１乃至図３の構成例は一例でありどのような構成、例えば座席数と映像入力数が３以上であっても構わない。
【００４９】
また、本実施の形態では、車室に設置される表示装置について説明したが、車室以外にも、ユーザの操作を必要とし操作性が悪くなる狭空間に設置される表示装置であればどのような表示装置にも適用可能である。
【００５０】
また、本実施の形態では表示装置という名称を用いたが、これは説明の便宜上であり、車載用表示装置、車載用電子機器等であってもよいことは勿論である。
【００５１】
さらに、上記表示装置を構成する各回路部、例えば画像入力端子等の種類、数及び接続方法などは前述した実施の形態に限られない。
【００５２】
また、以上説明した表示装置は、この表示装置を機能させるためのプログラムでも実現される。このプログラムはコンピュータで読み取り可能な記録媒体に格納されている。
【産業上の利用可能性】
【００５３】
本発明に係る表示装置は、車両の車室内に設置される車載用表示装置として有用である。また、非運転者が種々の映像ソースを切替え操作を行うことができるため、利便上有用である。また、表示部と操作部を含む表示装置を複数持つ製品等の用途にも応用できる。また、車室以外にも、ユーザの操作を必要とし操作性が悪くなる狭空間に設置される表示装置に好適である。
【図面の簡単な説明】
【００５４】
【図１】本発明の実施の形態に係る表示装置の外観構成を示す模式図
【図２】上記実施の形態に係る表示装置の構成を示すブロック図
【図３】上記実施の形態に係る表示装置の具体的構成を示す図
【図４】上記実施の形態の表示装置の自動２画面化処理のプログラムを示すフローチャート
【符号の説明】
【００５５】
１００  表示装置
１０１  映像入力端子（映像１入力部）
１０２  映像入力端子（映像２入力部）
１０３  操作部
１０３ａ，１０３ｂ  １画面表示ボタン
１０３ｃ  ２画面表示ボタン
１０３ｄ  自動検出ボタン
１０４  モード管理部
１０５  映像選択部
１０６  ２画面合成部
１２０  横長ＬＣＤパネル
１１１  映像１検出部
１１２  映像２検出部
２００  後部座席シート
３０１，３０２  着座センサ
５１０，５２０  接続ケーブル
【図１】
2007256541.tif 000003
【図２】
2007256541.tif 000004
【図３】
2007256541.tif 000005
【図４】
2007256541.tif 000006